(57)【要約】  閉鎖空間内で用いられるオーディオシステムは、Ｎ個（Ｎは整数かつＮ≧２）の音響トランスデューサを備える。それぞれの音響トランスデューサは、前記オーディオシステムのそれぞれのチャンネルについてオーディオ信号を受け取り、音響信号をそれから発生するよう構成され、位相応答を有するそれぞれのフィルタに動作可能に結合されている。フィルタのうちの少なくとも１つの位相応答は、対応する波長λ=d/(n+1/2)（ｎは整数かつｎ≧０、ｄはＮ個の音響トランスデューサの２以上のものの前記閉鎖空間内での特性間隔）を有する周波数fにおいて、前記フィルタのうちの少なくとも１つの他のフィルタの位相応答とは異なる。これによって、前記周波数fの近傍の幅Δfの周波数帯域にわたってそうでなければ発生するだろう音響パワーにおける減少に対する補償が達成される。【選択図】図３
2018524885.tif 000002
【特許請求の範囲】
【請求項１】
閉鎖空間内で用いられるオーディオシステムであって、
Ｎ個（Ｎは整数かつＮ≧２）の音響トランスデューサであって、それぞれの音響トランスデューサは、前記オーディオシステムのそれぞれのチャンネルについてオーディオ信号を受け取り、音響信号をそれから発生するよう構成される、音響トランスデューサ、
前記Ｎ個の音響トランスデューサのそれぞれは、位相応答を有するそれぞれのフィルタに動作可能に結合されており、前記フィルタのうちの少なくとも１つの前記位相応答は、対応する波長λ=d/(n+1/2)（ｎは整数かつｎ≧０、ｄはＮ個の音響トランスデューサの２以上のものの前記閉鎖空間内での特性間隔）を有する周波数fにおいて、前記フィルタのうちの少なくとも１つの他のフィルタの位相応答とは異なることによって、前記周波数fの近傍の幅Δfの周波数帯域にわたってそうでなければ発生するだろう音響パワーにおける減少を補償する
オーディオシステム。
【請求項２】
前記フィルタは、オールパスフィルタである、
請求項１に記載のオーディオシステム。
【請求項３】
前記フィルタは、高Ｑ２次オールパスフィルタである、
請求項２に記載のオーディオシステム。
【請求項４】
前記フィルタの少なくとも１つは、中心周波数が前記周波数ｆよりも高い特性応答を有し、前記フィルタの少なくとも他の１つは、中心周波数が前記周波数ｆよりも低い特性応答を有する、
請求項２又は請求項３に記載のオーディオシステム。
【請求項５】
前記Ｎ個の音響トランスデューサは、Ｎ個の対応するスピーカーの中のウーファードライブユニットである、
請求項１〜４のいずれか１項に記載のオーディオシステム。
【請求項６】
Ｎ＝２であって、２つの音響トランスデューサは、前記閉鎖空間内で間隔ｄによって間隔が設けられた対向するスピーカーの一部をそれぞれ形成する、
請求項１〜５のいずれか１項に記載のオーディオシステム。
【請求項７】
それぞれの対応する音響トランスデューサに動作可能に結合された２つのフィルタの位相応答は、前記周波数ｆについて互いに非対称である、
請求項６に記載のオーディオシステム。
【請求項８】
２つのスピーカーのうちの一方の前記位相応答は、
【数２】
2018524885.tif 000004
であり、前記２つのスピーカーのうちの他方の前記位相応答は、
【数３】
2018524885.tif 000005
であり、ここでRH=ω×r及びRL=ω／rであり、ここでωは、前記周波数に対応する角周波数（ω=2πf）であり、rは補正されるべき周波数範囲の幅Δfに依存して選択された比であり、Qは、前記周波数fにおいて所定の位相差を提供するように選択されるフィルタの品質係数である、
請求項６又は請求項７に記載のオーディオシステム。
【請求項９】
前記フィルタの前記品質係数Qは、前記周波数fにおいて１８０°の位相差を提供するように選択される、
請求項８に記載のオーディオシステム。
【請求項１０】
前記システムは、Ｍ個の音響トランスデューサからなるＮ個のグループを備え、ここでＭは整数かつＭ≧２であり、与えられたグループのそれぞれの音響トランスデューサは、前記オーディオシステムのそれぞれのチャンネルについて同じオーディオ信号を受け取り、それから音響信号をそれから発生するよう構成される、
請求項１〜５のいずれか１項に記載のオーディオシステム。
【請求項１１】
前記Ｎ×Ｍ個の音響トランスデューサのそれぞれは、位相応答を有するそれぞれのフィルタに動作可能に結合されており、ここで周波数fにおいて、与えられたグループ内の前記Ｍ個の音響トランスデューサに結合された前記フィルタの前記位相応答は同じであり、少なくとも１つの他のグループ内のＭ個の音響トランスデューサに結合されたフィルタの位相応答とは異なることによって、前記周波数fの近傍の幅Δfの周波数範囲にわたって、そうでなければ起こるだろう音響パワーにおける低減を補償する、
請求項１０に記載のオーディオシステム。
【請求項１２】
前記Ｎ×Ｍ個の音響トランスデューサのそれぞれは、位相応答を有するそれぞれのフィルタに動作可能に結合されており、ここで周波数fにおいて、与えられたグループ内の音響トランスデューサに結合された少なくとも１つのフィルタの前記位相応答は、同じグループ内の音響トランスデューサに結合された少なくとも１つの他のフィルタの位相応答とは異なり、少なくとも１つの他のグループ内の音響トランスデューサに結合された少なくとも１つのフィルタの前記位相応答とも異なることによって、前記周波数ｆの近傍の幅Δｆの周波数範囲にわたって、そうでなければ起こるだろう音響パワーにおける低減を補償する、
請求項１０に記載のオーディオシステム。
【請求項１３】
前記閉鎖空間は、自動車の客室である、
請求項１〜１２のいずれか１項に記載のオーディオシステム。
【請求項１４】
閉鎖空間内の音響信号の音響パワーにおける低減を補償する方法であって、前記音響信号は、Ｎ個（Ｎは整数かつＮ≧２）の音響トランスデューサを備えるオーディオシステムによって作られ、それぞれの音響トランスデューサは、前記オーディオシステムのそれぞれのチャンネルについてオーディオ信号を受け取り、音響信号をそれから発生するよう構成され、前記方法は、
前記Ｎ個の音響トランスデューサのうちの少なくとも２つによって受け取られるべき前記音響信号を、前記少なくとも２つの音響トランスデューサのそれぞれについて、対応する波長λ=d/(n+1/2)（ｎは整数かつｎ≧０、ｄはＮ個の音響トランスデューサの２以上のものの前記閉鎖空間内での特性間隔）を有する周波数fにおいて、異なる位相応答で濾波することによって、前記周波数fの近傍の幅Δfの周波数帯域にわたってそうでなければ発生するだろう音響パワーにおける減少を補償するステップ
を含む、方法。
【請求項１５】
Ｎ＝２であって、２つの音響トランスデューサは、前記閉鎖空間内で間隔ｄによって間隔が設けられた対向するスピーカーの一部をそれぞれ形成し、前記２つの音響トランスデューサによって受け取られるべき前記音響信号は、前記周波数fにおいて所定の位相差を有する位相応答で濾波される、
請求項１４に記載の方法。
【請求項１６】
前記所定の位相差は、前記周波数fにおいて１８０°である、
請求項１５に記載の方法。
【請求項１７】
前記位相応答は、前記周波数fについて互いに非対称である、
請求項１５又は請求項１６に記載の方法。
【請求項１８】
音響トランスデューサシステムのプロセッサ上で実行されるときに前記システムに請求項１４〜１７のいずれか１項に記載の方法を実行させるコンピュータが実行可能なコードを含むコンピュータプログラムプロダクト。
【請求項１９】
既存のデジタルシグナルプロセッサ（ＤＳＰ）スピーカーシステムに対するアップデート又は拡張機能として実現される、
請求項１８に記載のコンピュータプログラムプロダクト。
【請求項２０】
既存のマルチチャンネル又はステレオオーディオプロセッサに対するアップデート又は拡張機能として実現される、
請求項１８に記載のコンピュータプログラムプロダクト。
【請求項２１】
請求項１４〜１７のいずれか１項に記載の方法を実行するよう構成された音響トランスデューサシステム。
【発明の詳細な説明】
【技術分野】
【０００１】
本発明は、複数のスピーカーが音の波長に相当する大きさの空間で用いられる場合の低音出力及び能率を改善する方法に関する。
【背景技術】
【０００２】
２チャンネルのステレオ家庭用スピーカーシステムにおいて、２つのスピーカーからの出力は、部屋の大きな体積の中に拡散されるので、スピーカーは、独立して放射する。同じことが２チャンネルより多いマルチチャンネルシステムについても概ね当てはまる。典型的なステレオオーディオ信号は、低い周波数においてたいていはモノフォニックである。よって左右のチャンネルの低音出力からの音響出力は、リスナーの耳において可算される。
【０００３】
しかしそのようなスピーカーシステムがより閉鎖された空間で用いられるとき、スピーカーが独立して放射するという仮定は、適用されないことがある。これは結果としてリスニング空間において好ましくない音響アーティファクトにつながり得て、これは、リスナーのサウンド体験を損ない得る。
【０００４】
例えば、自動車のオーディオシステムは、図１に示されるように左右の車両ドアにマウントされたスピーカーから構成され得る。このような構成においては、車両の居住空間のサイズは、家庭のリスニングルームよりも典型的にはずっと小さくなり、この閉鎖された空間は、不要な音響効果につながり得て、ある周波数が他の周波数よりも強く知覚されないことがある。
【０００５】
このような問題に対する従来の解決策は、しばしば、スピーカーへの電力をブーストすることであり、例えば、ウーファーのようなバストランスデューサユニットを駆動することである。これはこの問題を改善はし得るが、効率的な解決策ではない。というのもサウンドシステムは、より多くの電力を消費し、よりかさばるアンプを必要とし得るからである。さらにこれは、必要とされない周波数においてボリュームが大きくなることにもつながり得る。
【０００６】
低音をブーストする他の解決策は、別個のサブウーファーを設けて低音域周波数における音響信号を発生することであり得る。自動車オーディオシステムにおいては、サブウーファーは、車両の居住空間のフロアに配置され得る。再び、サブウーファーの使用は、より良い低音につながり得るが、そのようなシステムは、より大きい電力を消費しがちであり、さらなるトランスデューサユニット及び駆動電子装置を要求する。スポーツカーのような、ある種の車両においては、空間が限られているためにサブウーファーの使用は除かれ得る。
【０００７】
EP 2357846 A1は、オーディオシステムによって生成された低いオーディオ周波数レンジの群遅延を自動的にイコライズする低音管理システムについて記載する。この管理システムは、オーディオシステムにおける位相及び／又は群遅延を整える問題に対応し、自動的にこれを行うが、車両の居住空間のような閉鎖された空間では特に、手動でそのようなシステムを最適化することがより一般的である。
【発明の概要】
【発明が解決しようとする課題】
【０００８】
上述のさまざまな手法にもかかわらず、閉鎖された空間においてマルチチャンネルオーディオシステムを実現するときに起こり得る、不要な音響アーティファクトに対処する、より効果的かつ効率的な技術に対するニーズがある。これは、高品質のサウンドを作る、自動車の狭い居住空間に配置されるシステムについては特に当てはまる。
【課題を解決するための手段】
【０００９】
本発明の第１の局面によれば、閉鎖空間内で用いられるオーディオシステムが提供され、このオーディオシステムは、Ｎ個（Ｎは整数かつＮ≧２）の音響トランスデューサであって、それぞれの音響トランスデューサは、前記オーディオシステムのそれぞれのチャンネルについてオーディオ信号を受け取り、音響信号をそれから発生するよう構成される、音響トランスデューサを備え、前記Ｎ個の音響トランスデューサのそれぞれは、位相応答を有するそれぞれのフィルタに動作可能に結合されており、前記フィルタのうちの少なくとも１つの前記位相応答は、対応する波長λ=d/(n+1/2)（ｎは整数かつｎ≧０、ｄはＮ個の音響トランスデューサの２以上のものの前記閉鎖空間内での特性間隔）を有する周波数fにおいて、前記フィルタのうちの少なくとも１つの他のフィルタの位相応答とは異なることによって、前記周波数fの近傍の幅Δfの周波数帯域にわたってそうでなければ発生するだろう音響パワーにおける減少を補償する。
【００１０】
ここでの主要な洞察は、比較的、閉鎖された空間における破壊的な干渉効果は、音場における音響異常につながり得ることである。そのような異常は、パワーをブーストすることによって対処することができる場合もあるが、本発明は、破壊的な干渉を打ち消すことによってこれに対応することを目指す。具体的には、本発明は、閉鎖空間の場合において、１つ以上のチャンネルについて音響トランスデューサ間の位相を意図的にずらすことによって、システムパフォーマンス全体を改良することを目指すが、これは従来の思考とは逆である。このようにして、音響トランスデューサが位置する閉鎖された空間によって発生する音響異常を補正することが可能となる。
【００１１】
本発明は、オーディオシステムが用いられ得る典型的な閉鎖空間の寸法と同等の音響波長を有する傾向がある、低音域周波数に特に適用可能であることに注意されたい。さらに、ここでの他の主要な洞察は、そのような低域周波数では、閉鎖空間における左右の対称性の維持は、リスナーの立場からは、より高い周波数よりも重要ではないので、位相をずらすことを利用してもよいことである。
【００１２】
本発明の補償技法は、対応する波長λ=d/(n+1/2)を有する周波数fを参照して特定されているが、実際のフィルタは、fよりも上、又は下の周波数において、なんらかの位相補償も提供し、破壊的な干渉周波数からいくらかチューニングがずらされた周波数において位相をずらすことで音響異常について異なる補償を達成することが可能である。
【００１３】
ある実施形態においてフィルタは、オールパスフィルタであり、これは信号位相を調節するのに特に適している。好ましい実施形態においては、フィルタは、高Ｑ、２次オールパスフィルタである。
【００１４】
好ましくは、フィルタの少なくとも１つは、中心周波数が周波数ｆよりも高い特性応答を有し、フィルタの少なくとも他の１つは、中心周波数が前記周波数ｆよりも低い特性応答を有する。これにより、異常を補正するために調整され得る周波数fの近傍で、具体的な相対的位相応答が得られる。
【００１５】
他の実施形態において、Ｎ個の音響トランスデューサは、Ｎ個の対応するスピーカーの中のウーファードライブユニットである。このようなユニットは、閉鎖空間で破壊的な干渉効果の影響を最も受けやすい低音域信号を発生する。この効果を補償すれば、ドライブパワーがブーストされる必要はなく、別個のサブウーファーが採用される必要もないことになる。
【００１６】
ある好ましい実施形態では、２つの音響トランスデューサ（Ｎ＝２）が存在し、これらは、閉鎖空間内で間隔ｄによって間隔が設けられた対向するスピーカーの一部をそれぞれ形成する。この構成は、乗り物の客室等にとても適している。この場合、それぞれの対応する音響トランスデューサに動作可能に結合された２つのフィルタの位相応答は、前記周波数fについて互いに非対称であることが好ましい。
【００１７】
具体的な位相応答は、システムが補正されるべき周波数の近傍のフィルタについて選ばれ得る。これは、フィルタ及びその品質係数について、特性中心応答周波数を選択することを典型的には伴うことになる。
【００１８】
上述のようにシステムは、Ｎチャンネルに関連付けられた少なくともＮ個のトランスデューサを備えることになるが、システムは、Ｍ個の音響トランスデューサからなるＮ個のグループを備え、ここでＭは整数かつＭ≧２であり、与えられたグループのそれぞれの音響トランスデューサは、前記オーディオシステムのそれぞれのチャンネルについて同じオーディオ信号を受け取り、音響信号をそれから発生するよう構成されてもよい。
【００１９】
与えられたグループの他のトランスデューサは、場合によっては、ミッドレンジ及びツイータのドライブユニットのような、異なる周波数で動作してもよく、この場合、与えられたグループのトランスデューサは、単一のスピーカーユニット内にふつうは配置される。その代わりに、又はそれに加えて、例えばいくつかのウーファードライブユニットのように、いくつかのトランスデューサが、与えられたグループ内に存在し、同じ周波数帯域で動作してもよい。この場合、補償は、類似のトランスデューサのグループに対して適用され得る。
【００２０】
ある実施形態においては、Ｎ×Ｍ個の音響トランスデューサのそれぞれは、位相応答を有するそれぞれのフィルタに動作可能に結合されており、ここで周波数fにおいて、与えられたグループ内の前記Ｍ個の音響トランスデューサに結合された前記フィルタの前記位相応答は同じであり、少なくとも１つの他のグループ内のＭ個の音響トランスデューサに結合されたフィルタの位相応答とは異なることによって、前記周波数fの近傍の幅Δfの周波数範囲にわたって、そうでなければ起こるだろう音響パワーにおける低減を補償する。
【００２１】
他の実施形態においては、Ｎ×Ｍ個の音響トランスデューサのそれぞれは、位相応答を有するそれぞれのフィルタに動作可能に結合されており、ここで周波数fにおいて、与えられたグループ内の音響トランスデューサに結合された少なくとも１つのフィルタの前記位相応答は、同じグループ内の音響トランスデューサに結合された少なくとも１つの他のフィルタの位相応答とは異なり、少なくとも１つの他のグループ内の音響トランスデューサに結合された少なくとも１つのフィルタの前記位相応答とも異なることによって、前記周波数ｆの近傍の幅Δｆの周波数範囲にわたって、そうでなければ起こるだろう音響パワーにおける低減を補償する。
【００２２】
本発明のシステムは、音響異常を生む閉鎖空間の範囲内での動作に非常に適している。例えば、システムは、自動車の客室、特にスポーツカーのコンパクトな客室に非常に適している。
【００２３】
本発明の第２の局面によれば、閉鎖空間内の音響信号の音響パワーにおける低減を補償する方法が提供され、前記音響信号は、Ｎ個（Ｎは整数かつＮ≧２）の音響トランスデューサを備えるオーディオシステムによって作られ、それぞれの音響トランスデューサは、前記オーディオシステムのそれぞれのチャンネルについてオーディオ信号を受け取り、音響信号をそれから発生するよう構成され、前記方法は、
前記Ｎ個の音響トランスデューサのうちの少なくとも２つによって受け取られるべき前記音響信号を、前記少なくとも２つの音響トランスデューサのそれぞれについて、対応する波長λ=d/(n+1/2)（ｎは整数かつｎ≧０、ｄはＮ個の音響トランスデューサの２以上のものの前記閉鎖空間内での特性間隔）を有する周波数fにおいて、異なる位相応答で濾波することによって、前記周波数fの近傍の幅Δfの周波数帯域にわたってそうでなければ発生するだろう音響パワーにおける減少を補償するステップを含む。
【００２４】
ある具体的な実施形態においては、Ｎ＝２であって、２つの音響トランスデューサは、前記閉鎖空間内で間隔ｄによって間隔が設けられた対向するスピーカーの一部をそれぞれ形成し、前記２つの音響トランスデューサによって受け取られるべき前記音響信号は、前記周波数fにおいて所定の位相差を有する位相応答で濾波される。ある好ましい実施形態においては、前記所定の位相差は、前記周波数fにおいて１８０°である。好ましくは、前記位相応答は、前記周波数fについて互いに非対称である。
【００２５】
さまざまな実施形態において、第２の局面の方法は、さらなる方法ステップについて、本発明の第１の局面の装置の実施形態の多くを反映し得る。
【００２６】
本発明の第３の局面によれば、音響トランスデューサシステムのプロセッサ上で実行されるときに前記システムに第２の局面の方法を実行させるコンピュータが実行可能なコードを含むコンピュータプログラムプロダクトが提供される。
【００２７】
ある実施形態においては、コンピュータプログラムプロダクトは、既存のデジタルシグナルプロセッサ（ＤＳＰ）スピーカーシステムに対するアップデート又は拡張機能として実現され得るが、これはハードウェアの変更が必要とされないかもしれないことによる。他の実施形態においては、コンピュータプログラムプロダクトは、既存のマルチチャンネル又はステレオオーディオプロセッサに対するアップデート又は拡張機能として実現され得る。
【００２８】
本発明の第４の局面によれば、第２の局面の方法を実行するよう構成されたコンピュータ音響トランスデューサシステムが広くは提供される。
【００２９】
当業者には理解されるであろうように、本発明は、音響波長に匹敵する寸法を有する閉鎖空間においてマルチチャンネルオーディオシステムに起こり得る、音響異常を補償する新規な技法を提供する。正確な実現は、具体的な設計及び応用によって適用され得て、さらなる変形及び追加は、本開示を参酌すれば当業者には明らかになるだろう。
【図面の簡単な説明】
【００３０】
ここで添付の図面を参照して本発明の例が詳細に記載される。
【図１】図１は、自動車オーディオシステムにおける典型的なスピーカー配置を概略的に示す。
【図２】図２は、図１に示されるタイプの自動車オーディオシステムにおいて測定された低域音響信号のスペクトル成分を示す。
【図３】図３は、２チャンネルスピーカーシステムにおいて実現された本発明の実施形態を概略的に示す。
【図４】図４は、図３に示されるタイプの２チャンネルスピーカーシステムにおいて用いられる２つのオールパスフィルタの例示的な個々の相対的位相応答を示す。
【図５】図５は、図３の補償されたスピーカーを採用するときの、図１に示されるタイプの自動車オーディオシステムにおいて測定された低域音響信号のスペクトル成分を示す。
【図６】図６は、２チャンネルステレオシステムにおいて用いるための３ウェイスピーカーの典型的な構成を概略的に示す。
【図７】図７は、図６に示される３ウェイスピーカーにおいて実現された本発明の実施形態を概略的に示す。
【発明を実施するための形態】
【００３１】
以下に記載されるように、本発明は、マルチチャンネルオーディオシステムが比較的、閉鎖された（confined）空間に配置されるときに起こり得る音響的異常を補償する新しい技術を提供する。
【００３２】
図１に示される種類１０の自動車オーディオシステムで、車両ドアの間隔は、左右スピーカー１１及び１２の間隔を実質的に規定するが、これはこれらスピーカーが対向する左右ドアパネルにふつうは配置されるからである。同一の信号でスピーカーが駆動されるとき、スピーカー間の距離が音響信号の半波長の奇数倍、（ｎ＋１／２）λ、例えば１／２、１  １／２、２  １／２波長に対応する音響周波数fにおいて有害な干渉が起こり得る。
【００３３】
これは、これら特異な波長に対応する周波数において、低減された出力及び低減された効率につながり得る。最も強い効果は、対向するスピーカーに１／２波長の間隔が設けられていることに対応する周波数において起こりやすい。この周波数は、ｆ＝ｖｓ／２ｄから計算され得て、ここでｖｓ＝３４０ｍ／ｓは空気中での音の速度、ｄは２つのスピーカーの間隔である。図１に示される種類の自動車オーディオシステムについては、車両ドアは、典型的には１．５ｍから２ｍ離れている。１．５ｍのスピーカー間隔は、周波数ｆ＝１１３Ｈｚに対応し、これは低音音響周波数に対応する。
【００３４】
有害な干渉は、車両乗員の頭部において測定される、オーディオシステムの周波数応答における不要なノッチにつながり得る。図２は、車両居住空間内で自動車オーディオシステムによって作られた音場の測定された周波数コンテンツにおける、ちょうどそのようなノッチ２０を示す。明らかなように、音響低音出力は、周波数ｆが約１１３Ｈｚにおける点においてと、この周波数の周りで幅Δｆの周波数範囲にわたって抑制されている。
【００３５】
よって図２で見えるノッチ２０は、良くない周波数応答を表すだけでなく、音響低音出力の損失も表し、これはリスナーのオーディオ体験の質に大きな影響を与える。このノッチのイコライゼーションは可能であるが、アンプのパワー及びスピーカーのコーン紙の動きを大幅に増すことが必要となろう。その代わりに、本発明によれば、より良い解決策は、可能である限り破壊的な干渉を防止することである。
【００３６】
中域及び高域の周波数においては、ステレオオーディオシステムの左右のチャンネルは、立体像中の音の位置を保存するために、ほぼ同一に扱われなければならない。しかしここでのキーとなる洞察は、乗り物の客室における低域周波数においては、この左右対称性の維持は、図２に示されるタイプのノッチを効率的に補正することよりもずっと重要ではない。したがって左右の低音信号は、わずかに異なるように処理され得る。
【００３７】
よって従来のシステムと比較して、本発明は、左右のチャンネルの位相応答を異なるように扱うが、不要なノッチに対応する狭い周波数帯域にわたってだけそのようにする。望ましい効果のためには、ノッチ周波数において２つのスピーカーの出力が１８０°位相がずれることが一般に必要となる。しかし音響異常の性質又は深刻さによっては他の位相整合も用いられ得る。
【００３８】
本発明のある実施形態は、この補正を実現するために、２つの高Ｑの２次オールパスフィルタを採用する。フィルタは、２チャンネルのそれぞれについて設けられ、特性中心周波数は、不要な破壊的な干渉が起こる周波数のそれぞれ上と下とにある。
【００３９】
図３は、そのような簡単な２スピーカーシステムを示す。この構成においては、左オーディオ信号３３は、高Ｑ２次オールパスフィルタ３５を通過し、それと同時に時間的にアラインされた右オーディオ信号３４は、その高Ｑ２次オールパスフィルタ３６を通過する。２つのオールパスフィルタ３５及び３６は、ターゲットとされた補償周波数のわずかに上と、わずかに下にそれぞれ特性中心周波数を有するように選択される。濾波された信号は、それからそれぞれの左右のスピーカー３１及び３２に供給される。
【００４０】
この実施形態においては、２つのオールパスフィルタのｓ領域における伝達関数は、以下のように選択される。
【００４１】
【数１】
2018524885.tif 000003
【００４２】
ここでHL(s)は、低周波数フィルタの応答であり、HH(s)は、高周波数フィルタの応答である。低周波数フィルタは、左右のスピーカーのうちのいずれか一方と共に用いられ得るが、これは高周波数フィルタが左右のスピーカーのうちの他方と共に用いられる限りにおいてである。上記周波数応答において、パラメータは、RH=ω×r及びRL=ω／rであり、ここでωは、ノッチ中心周波数（f）に対応する角周波数（ω=2πf）であり、rは補正されるべきノッチ周波数帯域の幅Δfに依存して選択された比であり、Qは、フィルタの品質係数であり、ノッチ中心周波数fにおいて１８０°の位相差を提供するように選択される。
【００４３】
図４の２つの下側曲線４０は、上述の２つのオールパスフィルタの位相応答を示し、上側曲線４１は、２つのフィルタの相対位相応答を示す。この例では、低周波数フィルタ及び高周波数フィルタの中心周波数は、それぞれ104.9Hz及び115.4Hzであり、フィルタの品質係数Qは12である。見ればわかるように、フィルタ位相応答は、選択された周波数fにおいて１８０°位相差に対して非対称であり、ノッチ中心周波数fの近傍の周波数帯域において非零の相対位相応答を作る。
【００４４】
図５は、図４に示されるフィルタ位相応答でオールパスフィルタ補正を左右のオーディオ信号に適用したときに、自動車車室内の自動車オーディオシステムによって作られた音場の測定された周波数コンテンツを示す。見ればわかるように、５０においてノッチが存在せず、位相補償なしの同じシステムについて図２で示された測定された周波数コンテンツと比較したとき、音響低音パワーのロスが存在しないことが明らかである。図示される低音域にわたるシステムの周波数応答は、はるかに均一である。
【００４５】
それぞれのチャンネルについて単一のスピーカーを持つ２チャンネルシステムについてこのオーディオシステムは記載されてきたが、システムは、実際には２チャンネルより多いチャンネルを備えてもよく、及び／又はそれぞれのスピーカーは、１つより多い音響トランスデューサを含んでもよい。図６は、典型的な３ウェイスピーカー６０内のユニットの概略的表現である。図示されるように、スピーカーは、３つの音響トランスデューサを以下のドライブユニットのかたちで含む。すなわちツイータ６１ｃ、ミッドレンジ６１ｂ、及びウーファー６１ａであり、高域、中域、及び低域の周波数をそれぞれ発生するためのものである。
【００４６】
スピーカーは、２チャンネルステレオシステムの一部を形成し得て、示されるように左チャンネルのオーディオ信号６３を受け取り得る。図示されるように、信号６３は、それぞれのドライブユニットについて異なるフィルタ又はフィルタ群のセットを効果的に通され、すなわち、ツイータ６１ｃのドライブユニット信号についてはハイパスフィルタ６７ｃを通され、中域６１ｂのドライブユニット信号についてはバンドパスフィルタ６７ｂを通され、ウーファー６１ａのドライブユニット信号についてはローパスフィルタ６７ａを通される。このようにして全体のオーディオ信号は、濾波されることによって、信号の適切な周波数帯域だけがそれぞれの音響トランスデューサを駆動するのに用いられる。２チャンネルステレオシステムにおいて、右チャンネルを受け取るスピーカーは、典型的には同様に構成される。同様のスピーカー構成は、２チャンネルよりも多いチャンネルをもつマルチチャンネルシステムにおいても用いられ得る。
【００４７】
そのようなスピーカー構成が図１に示されたタイプの自動車オーディオシステムにおいて用いられるとき、前述の理由によって低音信号における音響異常が起こり得るが、高域及び中域周波数に関しては異常の問題は存在しないかもしれず、又は無視され得るかもしれない。このような状況においても、図７に示されるやり方でウーファーユニットへの信号をさらに濾波することによって低音補償を達成するために、本発明は依然として用いられ得る。
【００４８】
図７に示されるように、図６のスピーカー構成は、ローパスフィルタ７７ａ及びウーファードライブユニット７１ａの間において、ウーファーユニット７１ａを駆動する信号チェーン中にオールパスフィルタ７５を効果的に含ませるよう７０のように適応されている。同様の適応は、マルチチャンネルオーディオシステム中のそれぞれの３ウェイスピーカーにもなされ得て、オールパスフィルタは、本発明に従って結果として生じる複合音響低音信号中の異常を補償するために、異なる位相応答を持つように選択され得る。２チャンネルステレオシステムにおいて、右スピーカーは、左スピーカーの複製品であり得て、左右のウーファーのためのオールパスフィルタは、特性中心周波数が不要ノッチ周波数の上と下とにあるような、上述のやり方で実現され得る。
【００４９】
このようにして中域及び高域周波数が、それぞれのチャンネルについて同一のやり方で取り扱われることによって、立体音像における音響サウンドの位置を保存することができ、例えば、その一方で低音周波数は、低音周波数帯域において起こる不要な異常を処理するために、それぞれのチャンネルについて異なるように扱われる。
【００５０】
このシステムは、オーディオシステムの特定のチャンネルに応じた音響トランスデューサのグループを一般には含み得る。グループ中のトランスデューサのうちのいくつかは、同じ周波数帯域において動作し得て、いくつかは、異なる周波数帯域で動作し得る。グループ中のトランスデューサのうちのいくつかは、単一のスピーカーユニット内に位置してもよく、いくつかは別個であってもよい。必要なら、本発明によるフィルタを用いる補償は、与えられたグループ内のトランスデューサ間で適用されてもよく、別個のグループのトランスデューサ間で適用されてもよい。類似の音響トランスデューサであるが、別の場所に配置された音響トランスデューサの２つのグループを含むステレオシステムにおいては、２つのグループ内の対応するトランスデューサ間で異なる補償が適用されてもよい。
【００５１】
ある種のシステム構成は、低い周波数及び高い周波数の間のクロスオーバーから起きる不要な群遅延につながり得る。そのような状況においては、本発明の補償手法は、公開国際特許出願WO2014106756A1に記載された群遅延イコライゼーションの手法と、優位性をもって組み合わされ得て、その内容は、ここで参照によって援用される。２つの手法を単一のオーディオシステムにおいて組み合わせるとき、効率的な設計においては、所望の効果を達成するために、フィルタを統合及び最適化することが可能であり得る。
【００５２】
要約すると、本発明は、閉鎖された空間から結果として生じる不要な音響アーティファクトを除去するために、閉鎖された空間におけるマルチチャンネルスピーカーオーディオシステムと共に用いられる新規な補償手法を提供する。この補償は、具体的な応用例に従っていくつかの異なる構成において実現され得る。一般性を失うことなく、上述の実施形態の教示は、恣意的に複雑なシステムへと組み込まれ得る。さらに当業者にはわかるように、本発明のさまざまな改変物が上記教示に基づいて可能である。
【図１】
2018524885.tif 000006
【図２】
2018524885.tif 000007
【図３】
2018524885.tif 000008
【図４】
2018524885.tif 000009
【図５】
2018524885.tif 000010
【図６】
2018524885.tif 000011
【図７】
2018524885.tif 000012
【国際調査報告】
2018524885.tif 000013
2018524885.tif 000014